(57)【特許請求の範囲】
【請求項１】
座面の前方側端に山部座面を形成し、
この山部座面から、後方側である背凭れ側に向かって、着座者の臀部が接触する下り座面を形成し、
前記下り座面端と、椅子の前記背凭れの間に、空間を形成し、
前記下り座面上に、前記着座者の座骨結節が位置し、
前記着座者の尾骨のみが、前記空間の長さ方向幅内に位置し、
前記尾骨は前記座面に接触しないため前記座面からの反力を受けず、
前記山部座面には、前記着座者の大腿部の裏面が位置し、
前記下り座面は、着座時に前記着座者の座骨結節が前記下り座面に当接してストッパーとなり、座骨結節から寛骨を伝わり仙腸関節を介して仙骨に入力される反力が、直立姿勢時の寛骨、仙腸関節、及び仙骨における反力の力学的作用を実質的に再現して、前記着座者の骨盤後傾を回避できる構成とし、
前記骨盤後傾を回避できる構成は前記着座者が前記背凭れに上体を預けた状態で実現される
ことを特徴とする椅子の構造。
【発明の詳細な説明】
【技術分野】
【０００１】
本発明は、椅子の構造に関する。
【背景技術】
【０００２】
椅子の座面構造の改良に関しては、近時、研究と併せて、形態の構造に関しても、種々の発明とか考案、並びに提案がなされている。
【０００３】
その一例を、下記に開示する。
【０００４】
着座者の臀部の前ズレ防止を意図した発明として、特開２０１９−１８６１３号公報があり、シートの座面に復元力が作用する拡縮可能な袋部を備えたシートが開示されている。この発明は、臀部を、袋部で抱持可能とし、臀部の前ズレを無くすことにある。
【０００５】
尚、同様な考えとして、座骨クッションには、左右側の開口部を備え、着座者がクッションの上に座った際に、下の骨盤にかかる圧力を軽減できる、ＵＳ９７２３９２８Ｂ２号公報がある。この発明では、座骨クッションには、右脚サポートカットアウト、左脚サポートカットアウト、及び後部カットアウトを備えていることで、着座者は、位置へのサポートと脚のガイダンスを持ちながら、人の尾骨への圧力を軽減でき、かつ健康な座位姿勢、適切な脊椎の整列を促進し、腰と臀部の痛みを軽減できること等が特徴である。
【０００６】
また、座板の坐骨部位に陥没又は貫通するように形成された対の坐骨位置付け部と、坐骨の側面から大腿骨の股関節方向に繋がる左右対称の羽状の対の側面支持部と、骨盤を正位置に誘導する構造のシート座板の構造として、特表２０１２−５２３９４０号公報があり、座板に着座することで骨盤の歪みを最小化し、坐骨部位が圧迫、及び痛みをなくし、骨盤の下端周囲を支えることで上半身の荷重の反発力で骨盤を保持し、臀部の下端部を引き締めることを特徴とする。
【特許文献１】特開２０１９−１８６１３号公報
【特許文献２】ＵＳ９７２３９２８Ｂ２号公報
【特許文献３】特表２０１２−５２３９４０号公報
【発明の概要】
【発明が解決しようとする課題】
【０００７】
しかしながら、本発明が意図する構成、又は特徴に関しては、先行文献１−３と、市場の座面、又はシートにおいては、見当たらない。
【０００８】
１）  「下り座面には、着座者の座骨結節が位置可能とし、かつ空間には、着座者の尾骨が位置可能とし」、しかも、「下り座面と、椅子の背凭れの間に、着座者の臀部が接触しない空間を形成し、」た構造を確保し、従来のシート着座時に生じていた、尾骨を含む尾部の、シート座面への接地荷重による、尾部への下からの反力を回避することも可能とすることで、骨盤や脊柱の安定化にも寄与する。また、左右の座骨結節部が同じ線状でストッパー効果により止められ、しかも骨盤部の回転力や捻れを抑止でき、これによる着座者の骨盤部や脊柱の安定化に効果を発揮する。
【０００９】
さらに、２）  着座者の荷重がシート座面にかかっていることで、乗り物において、乗車時や運転時に、着座者へかかる加速・減速や遠心力などの重心変換力に対し、その影響力を減少させ得ることで、例えば、座り心地・乗り心地の良好性とか、身体の安定性と、身体の筋肉への負担軽減化等に寄与できる。
【００１０】
３）  従って、このシートは、車両・乗り物のいずれのシート（運転席・助手席・後部座席等）にも適用可能であり、かつ車両・乗り物に限らず、あらゆる用途のシート、及び／又は、座面に適用しても良い。
【００１１】
４）  着座者の骨盤後傾・臀部の前方へのズレを抑制可能とする。よって、着座者の安定性の向上やそれに伴う肉体的疲労感の軽減である。構造は、シンプルな座面形状でコストは殆ど増加しない、ヒトに環境に優しいシート座面となる。
【００１２】
また、５）  前記１）の「下り座面には、着座者の座骨結節が位置可能とし、かつ空間には、着座者の尾骨が位置可能とし」、しかも、「下り座面と、椅子の背凭れの間に、着座者の臀部が接触しない空間を形成し、」かつ「この各位置における着座者への下方からの骨盤への反力は、座骨結節の前方からの入力が可能となる構成」を確保したことで、重心が後方へ偏る為に、バランスを取る行為として、頭や肩を含む上体が前傾する姿勢となる立ち直り反射を抑制することができ、その結果、脊椎の生理的弯曲の保持は可能で、骨格支柱で体重を受け止め得ること、等の特徴を確保できる。
【課題を解決するための手段】
【００１３】
前述した１）〜５）の特長を達成するための手段として、請求項１を提案する。
【発明の効果】
【００１４】
請求項１は、
座面の前方側端に山部座面を形成し、
山部座面から、後方側である背凭れ側に向かって、着座者の臀部が接触する下り座面を形成し、
下り座面端と、椅子の背凭れの間に、空間を形成し、
下り座面端に、着座者の座骨結節が位置し、
尾骨は座面に接触しないため座面からの反力を受けず、
着座者の尾骨のみが、空間の長さ方向幅内に位置し、
下り座面は、着座時に着座者の座骨結節が下り座面に当接してストッパーとなり、座骨結節から寛骨を伝わり仙腸関節を介して仙骨に入力される反力が、直立姿勢時の寛骨、仙腸関節、及び仙骨における反力の力学的作用を実質的に再現して、着座者の骨盤後傾を回避できる構成とし、
骨盤後傾を回避できる構成は着座者が背凭れに上体を預けた状態で実現される
ことを特徴とする椅子の構造である。従って、１）、５）の特徴を可能とする。尚、５）の効果は、[００１２]と[００３０]と図３−１において示してある。
【図面の簡単な説明】
【００２１】
【図１−１】第一実施例の椅子の側面図
【図１−２】図１−１の椅子の下り座面に着座した、着座者の座骨結節が、下り座面に位置し、かつ着座者の尾骨が、空間に位置した状態を示した模式図
【図２−１】第二実施例の椅子の側面図
【図２−２】図２−１の椅子の下り座面に着座した、着座者の座骨結節が、下り座面に位置し、かつ着座者の尾骨が、空間に位置した状態を示した模式図
【図３−１】図１−２と図２−２において、着座者の座骨結節が、下り座面に位置し、かつ空間には、着座者の尾骨が、位置した状態において、着座者の骨盤後傾・臀部の前方へのズレを抑制可能とする状態を説明する模式図
【図３−２】図３−１において、着座者の座骨結節が、下り座面に位置し、かつ空間には、着座者の尾骨（臀部）が、位置した状態において、着座者の骨盤後傾・臀部の前方へのズレを抑止可能な状態を説明する模式図
【図３−３】人の骨盤に関しての表示の、腰仙関節面を含む仙骨底は、直立姿勢を可能とするヒトの特徴であることを説明する模式図
【図３−４】図３−３を受けて生理的な腰仙関節面の傾斜はやや前傾し、上体の胸椎の後弯、頚椎の前弯、頭蓋との全体的な重量バランスで鉛直軸を形成している様子を説明するための模式図
【図４−１】第一実施例の椅子の別のパターンを示す側面図と、着座者の関係を示す図
【図５−１】第二実施例の椅子の別のパターンを示す側面図と、着座者の関係を示す図
【発明を実施するための形態】
【００２２】
図１−１と図１−２において、椅子１のそれぞれの構造と、特徴を記述する。
【００２３】
図１−１の椅子１において、躯体２に設けた座面３は、その後方側（背凭れ側）３ａには、着座者Ｈの臀部Ｈ１が接触する緩やかな曲面の（湾曲した）下り座面３０を形成し、一方、前方側３ｂには緩やかな曲面でなる山部座面３１を形成したシート１００である。
【００２４】
そして、下り座面３０と、椅子１の背凭れ５の間に、着座者Ｈの臀部Ｈ１が接触しない空間６を形成する。従って、躯体２に設けた座面３は、その後方側３ａの下り座面３０に、着座者Ｈの臀部Ｈ１が接触するとともに、一方、前方側３ｂの山部座面３１には、人の大腿部Ｈ２が接触する。この際に、臀部Ｈ１は、空間６に、中吊り感覚に保持される。その理由は、下り座面３０の後方側３ａの薄肉化と、かつ後方側３ａの内側の高さとによる曲面の座面３が確保されていることである。
【００２５】
続いて、図３−１〜図３−４に示した骨格と、第一実施例の椅子１との関係を説明する。
【００２６】
人の最大の特徴の一つは直立二足歩行であるが、静止時における良姿勢は直立姿勢である。図示しないが、上体荷重を左右の骨盤部の仙腸関節において、地面からの反力で支える構造になっている。そして、直立姿勢は、体重を骨軸で支えることができるが故に、姿勢保持筋力への負担軽減を可能とする。一方で、座位においても同様で、脊柱を直立に支える姿勢が理想的であり、例えば、図３−４に示すように、骨盤を立てた状態で座骨結節Ｈ４からの反力が、仙腸関節へ鉛直に入力される状態を確保することである。従って、骨盤後傾・腰椎の後弯を抑制する姿勢を保つ、例えば、骨盤の理想的傾斜位とも云える。
【００２７】
そして、従来の、仕事、事務用の椅子１とか、乗り物を含むシート１００は、背凭れ５に上体荷重をあずける形状である為、座った際には、骨盤部は後傾してしまい、それにより脊柱全体は直立軸の保持が不可能となる。また、骨軸の不均衡発生で、座骨結節Ｈ４部からの反力による脊柱を支える力が低下してしまい、姿勢保持の為に筋肉へ負担がかかる結果を招いてしまう。骨盤後傾現象は同時に、シート１００の座面３への尾骨Ｈ３を含む尾部へ荷重がかかる状況も発生させる為、そこからの反力が、テーパー形状の仙腸関節へ入力される。従って、前述の如く、人（着座者Ｈ）の骨格の力学的構造を破綻させる結果を生じ、姿勢保持・脊柱保持がより困難な状況になり、かつ時間の経過に比例して増大させる結果となる。このようなことから、例えば、骨盤後傾は、構造安定している状態から、その圧力が減少する状況となり、不安定要素が発生する方向への、所謂、逸脱する傾きと考えられる。
【００２８】
以上のようなことから、本発明が目的とするのは、着座者Ｈの骨盤後傾・臀部Ｈ１の前方へのズレを抑制可能とする座面３の提供であって、着座者Ｈの安定性の向上と、併せて、肉体的疲労感の軽減である。また、本発明は、シンプルな座面３の形状であって、かつコストは殆ど増加しないことと、併せて、着座者Ｈと環境に優しい座面３の提供である。
【００２９】
殊に、本発明の解決手段は、人の骨格の力学的構造を考慮し、椅子１やシート１００の座面３に凸型曲部の山部座面３１（傾斜段差）を設けることによる。人の座位姿勢では、体重の略８０％が座面３に掛かると考えると、膨大な応力の存在から、シートに座る行為自体を、骨盤や構造支柱としての脊柱の破綻機序から防御し、その応力によりさらに、最も効率の良い安定性の獲得へと変換できることが理解できる。
【００３０】
例えば、図３−１において、座面３の接地部（座面接地部）の骨盤下部は、部位ａ）の座骨結節Ｈ４から、部位ｂ）の恥骨結合Ｈ５へ向かい輪郭形状を成しており、この部位ａ）、及び部位ｂ）に、下り座面３０において、ストッパーの役割をさせることで、骨盤後傾・臀部Ｈ１の前方へのズレを抑止できる。
【００３１】
また、図３−２において、背凭れ５に着座者Ｈ（人）の上体をあずける行為と、その状況下において、上からの荷重により、座骨結節Ｈ４の部位ａ）で示すと、脊柱の位相差が前後軸上で発生する。例えば、上体荷重が理想的な荷重軸を逸脱した状態となることで、
イ）のベクトルによる、骨盤は後傾しようとする（同時に腰椎の後弯の促進）力学の発生が、臀部Ｈ１の前方へのズレを生ずる。しかしながら、本発明では、前述の如く、部位ａ）、及び部位ｂ）が、下り座面３０において、ストッパーの役割を担うことから、ロ）の偶力を発生させる結果となり、シート１００に着座した常時においては、骨盤前傾・腰椎前弯方向へのベクトルが生ずる。即ち、この力は、筋力を使うことなく骨盤や脊柱の安定化へと結びつき、肉体疲労の軽減につながる。さらに、従来型のシートに比べて重心が前方へ向かうことで、大腿部Ｈ２への荷重量も増加し、体圧分散をも可能とする。凸型曲線の形状特性による、大腿部Ｈ２への荷重量増加も併せて起こることが考えられる。そして、また、凸型座面形状の段差はハ）で示した空間６を生むことで、従来のシート１００への着座時に生じていた、尾骨Ｈ３を含む尾部への、シート１００の座面３への接地荷重による、尾部への下からの反力を回避することも可能であって、骨盤や脊柱の安定化に寄与できる。また、左右の座骨結節Ｈ４の部位が同じ線状でストッパー効果により止められることで、骨盤部の回転力や捻れを抑止でき、これによる着座者Ｈの骨盤部や脊柱の安定化に効果を発揮する。
【００３２】
即ち、本発明では、乗り物乗車時や運転時に、着座者へかかる加速・減速や遠心力等の重心変換力に対しても、その影響力を減少させ得る。上記の如く、ほとんどの荷重がシート１００の座面３にかかっていることを考慮すると、その部位での安定性を増すことは確実である。さらに、座り心地・乗り心地の良し悪しは、身体が楽に感じるか否かであり、筋肉への負担が多いか少ないかにより決まる。裏を返せば、骨軸で体荷重をどれだけ受けられるかによる。そして、本発明では、車両・乗り物のいずれのシート１００（運転席・助手席・後部座席等）に適用しても良い。また、車両・乗り物用のシート１００に限らず、あらゆる用途のシート１００に適用しても良い。
【００３３】
尚、図示しないが、座位での理想的な荷重ラインは、座骨結節Ｈ４の上になる。しかしながら、実際に椅子１に着座した際は、前記部位ａ）、及びｂ）は、下り座面３０において、ピンポイントでの接地となり不安定となる。そこで、実際の椅子１は、座面３が程度の差はあれ後傾している為、着座者Ｈの骨盤位は後傾位へ誘導される。これにより、上記ピンポイント接地から、座骨結節Ｈ４・尾骨Ｈ３を含む臀部（尾部）での接地になるが、重心が後方へ偏る為に、バランスを取る行為として、人の頭や肩を含む上体が前傾する姿勢となる（立ち直り反射）。これによって、脊椎の生理的弯曲の保持はできず、身体重量を筋力でサポートしなければならない状態が生まれる（骨格支柱で体重を受け止められない状態となる）。
【００３４】
換言すると、座り姿勢は、理想的な直立状態より逸脱した姿勢では、当然ながら、脊椎から派生する血管・神経への悪影響も考えられる（生理的弯曲形成不全による神経・血管の伸長等である）。従って、人体（身体）の変形により、内臓の位置異常や圧迫が発生することと、併せて、座面３からの反力が尾部より上方へ加わり、テーパー形状の仙腸関節への離解力が発生し、仙腸関節不安定症に繋がる。これは、脊柱支持力の低下が起こり、かつ身体のメカニズムの悪循環が継続する。
【００３５】
殊に、勉強やデスクワーク時においては、前方の机に向かう為、通常は前傾姿勢となることが理想である。しかしながら、現実は、骨格支柱を支える骨盤位が後傾位では、脊柱の配列が屈曲位となる為に、体重を骨格で支持することが不可能となり、かつ負荷は筋肉へ負担をかける。
【００３６】
上記に鑑み、本発明では、図４−１に示した椅子１の別のシートパターンにおいては、骨盤が重力作用により自然と前傾へと誘導され、大腿後面部や足底への接地荷重が増加し、身体の体圧分散作用の向上と、身体の支持面積拡大が図れる構成としている。これにより、例えば、姿勢保持の安易化・安定化と骨格支柱での身体重量支持増大による筋肉のエネルギーロスの低減と、座り心地の改善や疲れにくさの改善に繋がる特性がある。そして、また、骨盤が軽度前傾傾向へ誘導された結果として、立ち直り反射により、無意識的に上体を起こす動きが発生する。すなわち姿勢改善へと誘導する。以上の結果、座りながらにして骨盤が立った状態にて脊椎を支えることが容易に可能となり、理想的な重心バランスでの座り姿勢となれる。
【００３７】
図４−１に示した、第一実施例の椅子１の別のシート１００のパターンでは、背凭れ無しの椅子１に、座面３を備え、かつ湾曲した下り座面３０と、湾曲した山部座面３１と、を備えてなるシート１００であり、空間６には、原則として、臀部Ｈ１がない使用である。
【００３８】
また、図３−３に示した、腰仙関節面Ｈ６を含む仙骨底Ｈ７は直立姿勢を可能とする人の特徴であり、その履歴を紐解くと、着座者Ｈの進化過程において増大したので、上体荷重を鉛直軸上で支えることを可能とする為の構造である（図３−３・３−４参照）。図面では、生理的な腰仙関節面の傾斜はやや前傾である。上体の胸椎の後弯、頚椎の前弯、頭蓋との全体的な重量バランスで鉛直軸を形成している。きわめて理想で、健康的な短角維持である。
【００３９】
そして、前述した如く、座り姿勢における骨盤後傾が、いかに非生理的な状態であるかが理解できる。例えば、任意に骨盤を立てる動作は、種々の弊害がある。例えば、（１）  姿勢を保持する為に過大な筋力を要すること、（２）  連動して上半身の筋緊張を生ずることから、継続して維持することは困難であり、座り姿勢に違和感と、疲労とを伴うこと、等の改良点がある。
【００４０】
以上で説明した、使用方法と特徴は、第一実施例の構成に基づく。
【００４１】
図２−１と図２−２において、椅子１の第二実施例の構造と、特徴を記述する。
【００４２】
図２−１の椅子１において、躯体２に設けた座面３は、その後方側（背凭れ側）３ａには、着座者Ｈの臀部Ｈ１が接触する傾斜する（傾斜面でなる）下り座面３０を形成し、一方、前方側３ｂには凸型角部の山部座面３１を形成する。
【００４３】
そして、下り座面３０と、椅子１の背凭れ５の間に、着座者Ｈの臀部Ｈ１が接触しない空間６を形成する。従って、躯体２に設けた座面３は、その後方側３ａの下り座面３０に、着座者Ｈの臀部Ｈ１の一部が接触するとともに、一方、前方側３ｂの山部座面３１には、人の大腿部Ｈ２が接触する。この際に、臀部Ｈ１は、空間６に、安定的に保持される。その理由は、下り座面３０の後方側３ａの薄肉と、かつ後方側３ａに高さが確保されていることである。
【００４４】
その使用方法と特徴は、前述の第一実施例と同じと考えられる。
【００４５】
さらに、図５−１に示した、第二実施例の椅子１の別のシート１００のパターンでは、背凭れ無しの椅子１に、座面３を備え、かつ傾斜面でなる下り座面３０と、角方の山部座面３１と、を備えたシート１００であり、空間６には、原則として、臀部Ｈ１がない使用である。
【００４６】
前述した各図面と、各図面に基づく説明は、本発明の好ましい一例であって、この説明と各図面に限定されない。従って、発明の趣旨の範囲において構成の一部を変更する構造とか、同じ特徴と効果を達成できる構造、等は、本発明の範疇である。
【００４７】
本発明は、各実施例に、それぞれの構造と特徴を説明したが、その基本構造は、前述した如く、山部座面３１を、後方側３ａにするか、下り座面３０を、前方側３ｂにするかの一例と、逆のパターンとなる山部座面３１を、前方側３ｂにするか、下り座面３０を、後方側３ａにするかの他の一例とが考えられるが、人Ｈの着座姿勢とか、慣習等により選択できることと、必要により、人Ｈの要望と訓練等を考慮することで、有意義な利用ができる。さらに選択の幅が広がる等の有効性も考えられる。
【符号の説明】
【００４８】
Ｈ  着座者（人）
Ｈ１  臀部
Ｈ２  大腿部
Ｈ３  尾骨
Ｈ４  座骨結節
Ｈ５  恥骨結合
Ｈ６  腰仙関節面
Ｈ７  仙骨底
１  椅子
１００  シート
２  躯体
３  座面
３ａ  後方側
３ｂ  前方側
３０  下り座面
３１  山部座面
５  背凭れ
６  空間
【図１−１】
0006889498.tif 000002
【図１−２】
0006889498.tif 000003
【図２−１】
0006889498.tif 000004
【図２−２】
0006889498.tif 000005
【図３−１】
0006889498.tif 000006
【図３−２】
0006889498.tif 000007
【図３−３】
0006889498.tif 000008
【図３−４】
0006889498.tif 000009
【図４−１】
0006889498.tif 000010
【図５−１】
0006889498.tif 000011